(57)【要約】【課題】起立姿勢のディスクトレイに小径ディスクを適切に縦置きセット可能とする。【解決手段】少なくとも大径ディスクをセット可能な浅溝状のディスク収容部１１を有する起立姿勢のディスクトレイ３に、当該ディスクトレイ３に装着したディスクアタッチメント４を介して小径ディスクＤｓをセットするようにしたものであって、ディスクアタッチメント４は、セットされる小径ディスクＤｓとディスク収容部１１の周壁１６との間に配設され、ディスク収容部１１に着脱自在に取り付けられるアタッチメント本体３１と、アタッチメント本体３１の径方向の内側に形成され、小径ディスクＤｓを支持した状態でセットするディスクセット部３２とを備えた。【選択図】図４
2007234195.tif 000002
【特許請求の範囲】
【請求項１】
少なくとも大径ディスクをセット可能な浅溝状のディスク収容部を有する起立姿勢のディスクトレイに、予め当該ディスクトレイに装着したディスクアタッチメントを介して小径ディスクをセットするようにしたディスクドライブ装置であって、
前記ディスクアタッチメントは、
セットされる前記小径ディスクと前記ディスク収容部の周壁との間に配設され、前記ディスク収容部に着脱自在に取り付けられるアタッチメント本体と、
前記アタッチメント本体の径方向の内側に形成され、前記小径ディスクを支持した状態でセットするディスクセット部と、
を備えたことを特徴とするディスクドライブ装置。
【請求項２】
前記ディスク収容部は、前記周壁から内側に突出し前記大径ディスクをセット位置に位置規制する規制突起を有し、
前記アタッチメント本体は、前記規制突起に係止されていることを特徴とする請求項１に記載のディスクドライブ装置。
【請求項３】
前記ディスク収容部は、前記規制突起に対し上下対称位置に同一形態の規制突起を、さらに有していることを特徴とする請求項２に記載のディスクドライブ装置。
【請求項４】
前記ディスク収容部は、位置決め凹部を、さらに有し、
前記アタッチメント本体は、取り付けた状態で前記位置決め凹部に係合する位置決め凸部を、さらに有していることを特徴とする請求項１に記載のディスクドライブ装置。
【請求項５】
前記アタッチメント本体は、前記ディスクアタッチメントを前記ディスク収容部から取り外すための摘み片を、さらに有していることを特徴とする請求項１に記載のディスクドライブ装置。
【請求項６】
前記ディスクセット部は、前記小径ディスクの外周縁部を少なくとも２箇所で支持する周縁支持部を有し、
前記周縁支持部は、少なくとも先端側が断面「Ｖ」字状に形成されていることを特徴とする請求項１に記載のディスクドライブ装置。
【請求項７】
前記ディスクアタッチメントは、前記起立姿勢時にセットした前記小径ディスクの下部を、当該小径ディスクの上部よりも前記ディスク収容部の載置面から離間させる載上げ部を、さらに備えたことを特徴とする請求項１に記載のディスクドライブ装置。
【請求項８】
前記載上げ部は、上側からセットされる前記小径ディスクの載上げを案内する載上げガイドを有していることを特徴とする請求項７に記載のディスクドライブ装置。
【請求項９】
少なくとも大径ディスクをセット可能な浅溝状のディスク収容部を有する起立姿勢のディスクトレイに予め装着され、前記ディスク収容部に小径ディスクをセットするためのディスクアタッチメントであって、
セットされる前記小径ディスクと前記ディスク収容部の周壁との間に配設され、前記ディスク収容部に着脱自在に取り付けられるアタッチメント本体と、
前記アタッチメント本体の径方向の内側に形成され、前記小径ディスクを支持した状態でセットするディスクセット部と、
を備えたことを特徴とするディスクアタッチメント。
【請求項１０】
前記アタッチメント本体は、前記ディスク収容部の周壁から内側に突出形成した前記大径ディスクをセット位置に位置規制する規制突起に、係止されることを特徴とする請求項９に記載のディスクアタッチメント。
【請求項１１】
前記アタッチメント本体は、前記ディスク収容部に取り付けた状態で、前記ディスク収容部に形成した位置決め凹部に係合する位置決め凸部を、さらに有していることを特徴とする請求項９に記載のディスクアタッチメント。
【請求項１２】
前記アタッチメント本体は、前記ディスク収容部から取り外すための摘み片を、さらに有していることを特徴とする請求項９に記載のディスクアタッチメント。
【請求項１３】
前記ディスクセット部は、前記小径ディスクの外周縁部を少なくとも２箇所で支持する周縁支持部を有し、
前記周縁支持部は、少なくとも先端側が断面「Ｖ」字状に形成されていることを特徴とする請求項９に記載のディスクアタッチメント。
【請求項１４】
前記起立姿勢時にセットした前記小径ディスクの下部を、当該小径ディスクの上部よりも前記ディスク収容部の載置面から離間させる載上げ部を、さらに備えたことを特徴とする請求項９に記載のディスクアタッチメント。
【請求項１５】
前記載上げ部は、上側からセットされる前記小径ディスクの載上げを案内する載上げガイドを有していることを特徴とする請求項１４に記載のディスクアタッチメント。
【発明の詳細な説明】
【技術分野】
【０００１】
本発明は、ディスクトレイにディスクアタッチメントを介して小径ディスクをセットするようにしたディスクドライブ装置およびディスクアタッチメントに関するものである。
【背景技術】
【０００２】
従来、光ディスク（ＤＶＤ等）の再生／記録を行うディスクドライブ装置（ディスク移送装置）として、ディスクトレイを備えたトレイ方式のものが知られている。また、光ディスクは、大径のもの（通常サイズ：直径略１２ｃｍ）と小径のもの（直径略８ｃｍ）との２種類が一般に普及している。このため、小径ディスク対応のディスクトレイのディスク収容部は、通常、大径ディスクを収容する大径収容部と、大径収容部と略同心円状且つその底面からさらに浅い溝状に形成され、小径ディスクを収容する小径収容部とから構成されている。ディスクトレイが水平姿勢で使用される場合にはこれで足りるが、起立姿勢時にも小径ディスクを適切に支持できるようにすべく、小径収容部の外周部に、小径ディスクの下側外周縁部を係止し得る爪部を形成したものが提案されている（例えば、特許文献１）。
【特許文献１】特開２００３−２５７１１２号公報
【発明の開示】
【発明が解決しようとする課題】
【０００３】
しかしながら、このように小径収容部の周壁（外周部）に爪部を形成すると、その分小径収容部の厚さが増してしまい、結果として、ディスクトレイ全体を所望の厚さに収めることが困難となり、設計の自由度を制約する要因となっていた。
【０００４】
これに対し、外径を大径ディスクに対応させ且つ内径を小径ディスクに対応させたリング状のアダプターを用いることが考えられる。すなわち、小径ディスクをディスクトレイにセットする前に小径ディスクをアダプターに装着し、小径ディスクを装着したアダプターを、大径ディスクと同様にして、ディスクトレイにセットすることが考えられる。しかしながら、この場合には、小径ディスクをリング状のアダプターに装着する際に、小径ディスクの読取面に指先が触れてしまいがちであり、読取面を誤って汚しやすいという問題がある。しかも、複数枚の小径ディスクをディスクトレイに交互にセットする場合には、アダプターを小径ディスクの枚数分用意しない限り、小径ディスクを交換するたびに、再生等が終了した小径ディスクをアダプターから取り外すと共に次の小径ディスクをアダプターに装着するという作業が発生するため、ユーザーにとって不便なものとなってしまう。
【０００５】
本発明は、起立姿勢のディスクトレイに小径ディスクを適切に縦置きセット可能とするディスクドライブ装置およびディスクアタッチメントを提供することを課題とする。
【課題を解決するための手段】
【０００６】
本発明のディスクドライブ装置は、少なくとも大径ディスクをセット可能な浅溝状のディスク収容部を有する起立姿勢のディスクトレイに、予め当該ディスクトレイに装着したディスクアタッチメントを介して小径ディスクをセットするようにしたディスクドライブ装置であって、ディスクアタッチメントは、セットされる小径ディスクとディスク収容部の周壁との間に配設され、ディスク収容部に着脱自在に取り付けられるアタッチメント本体と、アタッチメント本体の径方向の内側に形成され、小径ディスクを支持した状態でセットするディスクセット部と、を備えたことを特徴とする。
【０００７】
本発明のディスクアタッチメントは、少なくとも大径ディスクをセット可能な浅溝状のディスク収容部を有する起立姿勢のディスクトレイに予め装着され、ディスク収容部に小径ディスクをセットするためのディスクアタッチメントであって、セットされる小径ディスクとディスク収容部の周壁との間に配設され、ディスク収容部に着脱自在に取り付けられるアタッチメント本体と、アタッチメント本体の径方向の内側に形成され、小径ディスクを支持した状態でセットするディスクセット部と、を備えたことを特徴とする。
【０００８】
これらの構成によれば、ディスクアタッチメントを介して小径ディスクをセットすることで、ディスクトレイに小径ディスクをセットするための特別な加工を施す必要がなく、小径収容部の周壁に爪部を形成した場合のように、ディスクトレイ全体の厚さが増すようなことがない。また、予めディスクトレイにディスクアタッチメントを装着しておくことで、アダプターを用いる場合のように、小径ディスクをディスクアタッチメントに装着させる必要がなく、読取面を誤って汚してしまうことを防止できる。したがって、起立姿勢のディスクトレイに小径ディスクを適切に縦置きセットすることができる。
【０００９】
上記したディスクドライブ装置において、ディスク収容部は、周壁から内側に突出し大径ディスクをセット位置に位置規制する規制突起を有し、アタッチメント本体は、規制突起に係止されていることが好ましい。
【００１０】
上記したディスクアタッチメントにおいて、アタッチメント本体は、ディスク収容部の周壁から内側に突出形成した大径ディスクをセット位置に位置規制する規制突起に、係止されることが好ましい。
【００１１】
これらの構成によれば、大径ディスクをディスク収容部に安定的に縦置きセットするための規定突起を利用して、ディスクアタッチメントのアタッチメント本体を係止することができる。したがって、ディスクトレイに、アタッチメント本体を取り付けるための部位をあらためて設ける必要がない。
【００１２】
上記したディスクドライブ装置において、ディスク収容部は、規制突起に対し上下対称位置に同一形態の規制突起を、さらに有していることが好ましい。
【００１３】
ディスクトレイが相互に上下反転姿勢となる２種類の起立姿勢をとり得る場合、本構成によれば、いずれの起立姿勢の場合にも、相互に上下対称位置に設けられた２つの規制突起のうち、その姿勢に対応する一方の規制突起を利用することで、アタッチメント本体を係止することができる。したがって、いずれの起立姿勢の場合にも、小径ディスクを縦置きセットすることができ、使い勝手を向上させることができる。
【００１４】
上記したディスクドライブ装置において、ディスク収容部は、位置決め凹部を、さらに有し、アタッチメント本体は、取り付けた状態で位置決め凹部に係合する位置決め凸部を、さらに有していることが好ましい。
【００１５】
上記したディスクアタッチメントにおいて、アタッチメント本体は、ディスク収容部に取り付けた状態で、ディスク収容部に形成した位置決め凹部に係合する位置決め凸部を、さらに有していることが好ましい。
【００１６】
これらの構成によれば、ディスクアタッチメントを、ディスク収容部に対して適切な位置に装着することができる。このため、ディスクトレイに対し、小径ディスクを適切な位置にセットすることができる。
【００１７】
上記したディスクドライブ装置において、アタッチメント本体は、ディスクアタッチメントをディスク収容部から取り外すための摘み片を、さらに有していることが好ましい。
【００１８】
上記したディスクアタッチメントにおいて、アタッチメント本体は、ディスク収容部から取り外すための摘み片を、さらに有していることが好ましい。
【００１９】
これらの構成によれば、摘み片を摘んでこれを引き上げるようにすることで、ディスクアタッチメントをディスク収容部から容易に取り外すことができる。
【００２０】
上記したディスクドライブ装置において、ディスクセット部は、小径ディスクの外周縁部を少なくとも２箇所で支持する周縁支持部を有し、周縁支持部は、少なくとも先端側が断面「Ｖ」字状に形成されていることが好ましい。
【００２１】
上記したディスクアタッチメントにおいて、ディスクセット部は、小径ディスクの外周縁部を少なくとも２箇所で支持する周縁支持部を有し、周縁支持部は、少なくとも先端側が断面「Ｖ」字状に形成されていることが好ましい。
【００２２】
これらの構成によれば、周縁支持部により、小径ディスクの外周縁部を、表裏両側から挟持するようにして小径ディスクを支持することができる。しかも、周縁支持部は、少なくとも先端側が断面略「Ｖ」字形状を有することで、その先端部において、小径ディスクを回転させるのに十分な間隙が形成される。このため、小径ディスクを安定的に縦置きセットすることができると共に、ローディング後には、小径ディスクを十分なクリアランスをもって回転させることができる。
【００２３】
上記したディスクドライブ装置において、ディスクアタッチメントは、起立姿勢時にセットした小径ディスクの下部を、当該小径ディスクの上部よりもディスク収容部の載置面から離間させる載上げ部を、さらに備えたことが好ましい。
【００２４】
上記したディスクアタッチメントにおいて、起立姿勢時にセットした小径ディスクの下部を、当該小径ディスクの上部よりもディスク収容部の載置面から離間させる載上げ部を、さらに備えたことが好ましい。
【００２５】
これらの構成によれば、小径ディスクの下部が載上げ部に載上げることで、小径ディスクの下部は載置面から離間するが、その分、小径ディスクの上部は載置面に近づき、接するようになる。したがって、小径ディスクの上部を載置面に立て掛けた状態となり、小径ディスクはより倒れにくくなるため、安定的に小径ディスクを縦置きセットすることができる。
【００２６】
上記したディスクドライブ装置において、載上げ部は、上側からセットされる小径ディスクの載上げを案内する載上げガイドを有していることが好ましい。
【００２７】
上記したディスクアタッチメントにおいて、載上げ部は、上側からセットされる小径ディスクの載上げを案内する載上げガイドを有していることが好ましい。
【００２８】
これらの構成によれば、小径ディスクを上側からセットする際に、小径ディスクの下部を載上げ部に容易に載り上げさせることができる。
【発明を実施するための最良の形態】
【００２９】
以下、添付の図面を参照して、本発明の一実施形態に係るディスクドライブ装置およびディスクアタッチメントについて説明する。このディスクドライブ装置は、ディスクトレイにセットされた光ディスクを装置内部のターンテーブルにローディング（導入）すると共に、再生等終了後、光ディスクを装置外にイジェクト（排出）するためのものである。
【００３０】
なお、このディスクドライブ装置は、全体として略直方体形状を有しており、横置きで使用されると共に、縦置き（横置き使用時の左右いずれを上にしても可）でも使用されるようになっている。これに対応して、ディスクトレイは、水平姿勢（水平面と略平行）と、相互に上下反転姿勢となる２種類の起立姿勢（水平面と略垂直）とをとり得る。すなわち、ディスクトレイは、ディスクドライブ装置の横置き時には水平姿勢となり、縦置き時には、横置き使用時の左を上にした場合と、右を上にした場合とで異なる起立姿勢となる。以下では、ディスクドライブ装置におけるディスクトレイのスライド方向を「前後」（図示ではＸ方向）とし、ディスクトレイに対して垂直な方向を「表裏」（図示ではＹ方向）とし、起立姿勢のディスクトレイの上下方向を「上下」（図示ではＺ方向）とする。
【００３１】
図１および図２に示すように、ディスクドライブ装置１は、外殻を形成する装置ケース１０１の前面に形成されたディスク出入口１０２から、光ディスクＤをセットするディスクトレイ３を出没させるものであって、光ディスクＤをセット可能に構成されたディスクトレイ３と、ディスクトレイ３に着脱自在に装着されるディスクアタッチメント４と、ディスクトレイ３を、ディスク出入口１０２から出現したセット位置と、装置ケース１０１内のターンテーブル１０３（後述する）に臨むローディング位置との間でスライドさせるトレイ移動機構１０６とを備えている。
【００３２】
ディスクトレイ３は、一般に普及している直径略１２ｃｍの大径ディスク（図示省略）と、直径８ｃｍの小径ディスクＤｓとを選択的にセット可能に構成されており、起立姿勢時には、これにディスクアタッチメント４を装着したアタッチメント装置２により、小径ディスクＤｓを縦置きセットするようになっている（詳細は後述する。）。なお、光ディスクＤは、読取面側をディスクトレイ３の載置面１２（後述する）に向けてセットされる。
【００３３】
また、ディスクドライブ装置１には、導入した光ディスクＤが回転可能にセットされるターンテーブル１０３、ターンテーブル１０３の下部に設けられ、これを回転させるスピンドルモータ（図示省略）、ターンテーブル１０３を、ローディングまたはイジェクトされる光ディスクＤとの干渉を回避した待機位置と、ローディングされた光ディスクＤを支持可能な支持位置との間で移動させるターンテーブル移動機構（図示省略）、ターンテーブル１０３との間に光ディスクＤを回転可能に挟持するクランパ（図示省略）、ターンテーブル１０３上で回転する光ディスクＤの読取面に臨んで、記録されている情報を読み取るピックアップ機構（図示省略）、これらを収容する箱形のフレーム１０５等が備えられている。
【００３４】
ディスクトレイ３は、セット位置に出現してユーザーにより光ディスクＤがセットされた後、ディスク出入口１０２から装置内部に引き込まれ、セットした光ディスクＤをターンテーブル１０３にセット可能なローディング位置まで移動する。
【００３５】
そして、ローディング位置まで移動したディスクトレイ３上の光ディスクＤに対し、読取面側からターンテーブル１０３が接近して、その中央のテーパ部（図示省略）が光ディスクＤの中心孔Ｄａに係合する。これにより、光ディスクＤがディスクトレイ３の載置面１２から僅かに離間すると共に、ターンテーブル１０３の中心に位置決めされた状態でセットされる。さらに、ターンテーブル１０３にセットされた光ディスクＤは、クランパにより回転可能に挟持される。この状態で、光ディスクＤを回転させながら、ピックアップ機構により読み取られていく。
【００３６】
光ディスクＤの回転駆動（再生等）が終了すると、クランパによる挟持状態が解除されると共に、ターンテーブル１０３が下降して、光ディスクＤがディスクトレイ３に収容される。そして、光ディスクＤを収めたディスクトレイ３は、その状態でセット位置へ移動し、光ディスクＤを取り出し可能とする。
【００３７】
続いて、本発明に係るディスクアタッチメント４を適用したアタッチメント装置２について説明する。アタッチメント装置２は、大径ディスクをセット可能な起立姿勢のディスクトレイ３に対し、予めこれに装着したディスクアタッチメント４を介して小径ディスクＤｓをセットするようにしたものである。
【００３８】
図３に示すように、ディスクトレイ３は、全体形状として、長方形の板状をなし、樹脂材料で成形された部材である。ディスクトレイ３には、前端寄りに位置して、大径ディスクおよび小径ディスクＤｓを選択的に収容する浅溝状のディスク収容部１１が形成されており、その底面、すなわち水平姿勢時に大径ディスクや小径ディスクが載置される載置面１２に読取面を向けて、大径ディスクや小径ディスクＤｓがセットされる。また、ディスクトレイ３には、ディスク収容部１１の中央部から後方にかけて、上記のターンテーブル１０３やピックアップ機構を臨ませるための大形の矩形窓１３が開口形成されている。
【００３９】
ディスク収容部１１は、ディスクアタッチメントを装着しない状態において、水平姿勢で大径ディスクおよび小径ディスクをセット可能であると共に、起立姿勢で大径ディスクをセット可能に構成されており、大径ディスクを収容する大径収容部１４と、小径ディスクＤｓを収容する小径収容部１５とから構成されている。また、載置面１２は、小径収容部１５を除いた環状の大径載置面１２ａと、小径収容部１５の小径載置面１２ｂとから成っている。
【００４０】
大径収容部１４は、大径ディスクの厚さよりも十分に深く形成されていると共に、その周壁（大径周壁１６）は、大径ディスクの直径より幾分大きい円形を為している。このため、大径ディスク（小径ディスクＤｓも同様）は、上記のターンテーブル１０３にセットされた際に、大径周壁１６から僅かに離間した状態となるが、十分なクリアランスをもって回転することができる。なお、大径周壁１６は、周壁傾斜部１７を介して大径載置面１２ａに連なっている。すなわち、大径ディスクを大径収容部１４の中心に設置できるように、大径載置面１２ａは大径周壁１６よりもやや小さな円形（大径ディスクよりも僅かに大径）を為している。
【００４１】
また、大径周壁１６は、上下両側の一部が切り欠かれている（切欠き部１８）。大径ディスクをセットすると、各切欠き部１８から大径ディスクの上下両端部が僅かにはみ出すようになっており、把持した大径ディスクを大径収容部１４にセットしやすくなっている。
【００４２】
大径載置面１２ａには、ディスクトレイ３の前後方向に長い長円形の位置決め開口１９（位置決め凹部）が、上下対称となる位置にそれぞれ形成されている。各位置決め開口１９には、後述するディスクアタッチメント４の一対の位置決め凸部４９（図５参照）がその両端部に係合するようになっている。なお、位置決め開口１９に代えて、一対の位置決め凸部４９に対応させた前後一対の位置決め孔（または凹部）を形成してもよい。この場合、操作性を考慮して、一対の位置決め孔の一方を、ディスクトレイ３の前後方向に長い長孔とすることが好ましい。
【００４３】
一方、小径収容部１５は、大径ディスクと略同心状且つ大径載置面１２ａからさらに浅く窪んだ浅溝状に形成されており、その周壁（小径周壁２０）が小径ディスクの直径より僅かに大きい円形を為すと共に、小径ディスクＤｓの厚さと略同じ深さに形成されている。
【００４４】
このように大径収容部１４および小径収容部１５が構成されていることで、水平姿勢のディスクトレイ３に対し、大径ディスクおよび小径ディスクＤｓを略同心に横置きで選択的にセットすることができる。このため、大径ディスクおよび小径ディスクＤｓのいずれをセットした場合にも、ローディングおよびイジェクトを適切に行うことができる。なお、本実施形態では、ディスクトレイ３が水平姿勢でも使用されるため、このように大径収容部１４内に小径収容部１５を形成したが、起立姿勢専用の場合には、小径収容部１５を形成しなくともよい。
【００４５】
ところで、上述したように、ディスクトレイ３は、水平姿勢で使用されるのみならず、起立姿勢でも使用される。起立姿勢時には、ディスク収容部１１の載置面１２に読取面側を向けて収容された光ディスクＤが、ディスクトレイ３の移動時等に、表面側（レーベル面側）に倒れてしまうおそれがある。
【００４６】
そのため、ディスク収容部１１（大径収容部１４）は、大径周壁１６の表面側先端部から内側に突出し、大径ディスクをセット位置に位置規制する２組の規制突起２１を有している。すなわち、大径周壁１６には、上記の２種類の起立姿勢に対応して、起立姿勢時において上下対称となる位置に、同一形態の２組の規制突起２１が形成されている。各組の規制突起２１は、前後一対の係止爪２２で構成されている。なお、各組一対の係止爪２２のうち、手前側の係止爪２２の方が、上下方向の外側に設けられている。
【００４７】
起立姿勢のディスクトレイ３に対して、大径ディスクは、大径収容部１４の下方に幾分偏心して収容され、下側となった切欠き部１８から大径ディスクの下部がややはみ出す。そして、上下２組の規制突起２１のうち、下側の規制突起２１により位置規制され、倒れが防止される。
【００４８】
さらに、各切欠き部１８の前後両端部では、一対の大径段部２３を介して大径周壁１６に連なっている。ディスクトレイ３が起立姿勢の場合には、上側からセットされた大径ディスクの下部が、下側となった方の一対の大径段部２３に載り上げ、大径載置面１２ａから僅かに離間する。したがって、大径ディスクの上部を大径載置面１２ａに立て掛けた状態となり、大径ディスクはより表面側に倒れにくくなるため、安定的に大径ディスクを縦置きセットすることができる。なお、上側からセットされる大径ディスクの下部は、上記の周壁傾斜部１７をガイドとして、各大径段部２３に載り上げるようになっている。
【００４９】
このように、起立姿勢のディスクトレイ３において、２組の規制突起２１や２組の大径段部２３がそれぞれ上下対称位置に設けられていることで、２種類の起立姿勢のいずれの場合にも、大径ディスクが表面側に倒れることが防止されている。
【００５０】
一方、図１および図２に示したように、起立姿勢のディスクトレイ３に対し、小径ディスクＤｓをセットする場合には、ディスクアタッチメント４を介してセットされる。ディスクアタッチメント４は、全体として平面視略船形の板状に形成され、樹脂材料で一体成形されている。
【００５１】
図４および図５に示すように、ディスクアタッチメント４は、セットされる小径ディスクＤｓと大径周壁１６との間に配設され、ディスク収容部１１（大径収容部１４のうち、小径収容部１５を除いた部分）に着脱自在に取り付けられるアタッチメント本体３１と、アタッチメント本体３１の径方向の内側に形成され、小径ディスクＤｓを支持した状態でセットする前後一対の周縁支持部３２（ディスクセット部）と、前後一対の周縁支持部３２の中間に形成された載上げ部３６とから構成されている。
【００５２】
アタッチメント本体３１の縁部は、上側に凸となる円弧状に形成された下側円弧部３３と、下側円弧部３３の前後両端に連なり、大径周壁１６に倣った円弧状に形成された前後の大径円弧部３４と、周縁支持部３２が形成されると共に、小径ディスクＤｓの外縁に対応した円弧状に形成された前後の小径円弧部３５と、それをつなぐと共に、上側に載上げガイド３６を突出させた直線部３９と、各小径円弧部３５および各大径円弧部３４と連なる前後の屈曲部３８とから構成されている。
【００５３】
下側円弧部３３の中間部には、長半円形状を有し、その裏面上端部において下側円弧部３３の表面に連なる摘み片４５が設けられている。この摘み片４５は、ディスクアタッチメント４を取り外す際に、指先等で摘む部位となるものである。
【００５４】
前後の大径円弧部３４の下端部（下側円弧部３３の前後両端部）には、一対の小片４６が下側に突出形成されている。一対の小片４６は、ディスクトレイ３の各組一対の大径段部２３に対応しており、各小片４６が各大径段部２３と係合するようになっている。すなわち、各小片４６は、裏面側が小段部４７を介して極僅かに薄肉に形成され、この小段部４７の部分で各大径段部２３と接するようになっている。
【００５５】
アタッチメント本体３１の裏面には、中央部において前後に延びた補強リブ４８と、補強リブ４８の上側に設けられ円柱形状を有する前後一対の位置決め凸部４９とが形成されている。一対の位置決め凸部を上記の位置決め開口１９の両端部にそれぞれ係合させることで、ディスクアタッチメント４を適切な位置に位置決めした状態で、ディスク収容部１１に装着することができる。
【００５６】
一方、一対の周縁支持部３２は、小径ディスクＤｓの外周縁部を２箇所で支持するものであって、それぞれ、断面略「Ｖ」字状に形成されている。すなわち、各周縁支持部３２は、各小径円弧部３５の周方向外側端部から表裏方向斜めにそれぞれ突設した一対の支持片５１により構成されている。この一対の支持片５１の基端側において、小径ディスクＤｓの外周縁部を、表裏両側から挟持するようにして小径ディスクＤｓを支持することができる。小径ディスクＤｓは、各支持片５１に対して、外周縁部のエッジ部分で接している（図７（ｄ）参照）。
【００５７】
各周縁支持部３２が断面略「Ｖ」字形状を有することで、その先端部において、小径ディスクＤｓを回転させるのに十分な間隙が形成される。すなわち、一対の支持片５１の先端部の間隙は、小径ディスクＤｓを回転させるのに十分なものとなっている。このため、小径ディスクＤｓを安定的に縦置きセットすることができると共に、ローディング後には、小径ディスクＤｓを十分なクリアランスをもって回転させることができる。
【００５８】
各周縁支持部３２は、少なくとも先端側（ディスクアタッチメント４の径方向内側）が断面略「Ｖ」字形状を有すればよく、例えば、全体として断面略「Ｙ」字形状であっても、上記の「Ｖ」字形状と同様な縦置きセット時の安定性および回転のクリアランスを実現することができる。また、その「Ｖ」字の角度（一対の支持片５１が為す角度）は、ディスクセット時の安定性および回転のクリアランスを考慮して、９０°から１５０°の範囲にあることが好ましく、１１０°から１３０°の範囲にあることがより好ましい。
【００５９】
また、表側の支持片５１には、小径ディスクＤｓの表側への倒れを確実に防止すべく、その先端部の周方向外側に位置して、径方向内側に突出する小爪５２が形成されている。
【００６０】
なお、本実施形態では、周縁支持部３２を一対（２個）のもので構成したが、小径ディスクＤｓの外周縁部を少なくとも２箇所で支持するものであればよく、３個以上で構成してもよいし、一体的なもので２箇所以上を支持するようにしてもよい。
【００６１】
載上げ部３６は、詳細は後述するが、セットした小径ディスクＤｓの下部を表面側に載り上げさせるためのものであって、直線部３９の上端面（の裏面側）から上側に突出形成されている。載上げ部３６は、先端側から順に、長く形成された先端平坦部４１と、先端平坦部４１から表面側に向かって傾斜した中間傾斜部４２と、短く形成された基端平坦部４３とから成っており、先端平坦部４１と中間傾斜部４２とが、上側からセットされる小径ディスクＤｓの基端平坦部４３への載上げを案内する載上げガイド３７を構成している。
【００６２】
このように構成されたディスクアタッチメント４は、アタッチメント本体３１をディスクトレイ３の下側となる規制突起２１に係止することで、ディスク収容部１１に着脱自在に取り付けられる。すなわち、ディスクアタッチメント４を幾分弾性変形させ、一対の位置決め凸部４９を、ディスクトレイ３の下側となる位置決め開口１９に係合させると共に、規制突起２１の各係止爪２２により前後の大径円弧部３４をそれぞれ表側から押えるようにして、係止させる。このとき、アタッチメント本体３１の前後の大径円弧部３４の端面が、大径周壁１６上に載置された状態となる。
【００６３】
なお、この場合、上述したように、各組一対の係止爪２２のうち、手前側の係止爪２２の方が、上下方向の外側（下側の規制突起２１にあっては下側）に設けられているため、手前側の係止爪２２は、対応する大径円弧部３４の上下方向の略中間部を係止し、後側の係止爪２２は、対応する大径円弧部３４の上端部を係止するようになっている。
【００６４】
また、ディスクアタッチメント４は、ディスク収容部１１に装着された状態においては、上述したように、一対の小片４６が、下側となる一対の大径段部２３に接しており、さらに、一対の周縁支持部３２のそれぞれ裏面側の支持片５１先端部が、載置面１２と接している。これにより、ディスクアタッチメント４は、載置面１２に対してがたつくことなく装着される。
【００６５】
さらに、起立姿勢のディスクトレイ３において、２組一対の規制突起２１や２組の位置決め開口１９がそれぞれ上下対称位置に設けられていることで、いずれの起立姿勢の場合にも、その姿勢に対応する一方の（下側となる）規制突起２１および位置決め開口１９を利用することで、アタッチメント本体３１を係止することができる。したがって、いずれの起立姿勢の場合にも、小径ディスクＤｓを縦置きセットすることができ、使い勝手を向上させることができる。
【００６６】
なお、本実施形態では、アタッチメント本体３１を、一対の係止爪２２に係止する構成であるが、装着方法はこれに限定されるものでなく、例えば、アタッチメント本体３１の裏面にフックを設けると共に、載置面１２にフックが係脱自在に係止するフック受け部を設け、このフックをフック受け部に係止させる構成であってもよい。もっとも、本実施形態のように、一対の係止爪２２を利用して、アタッチメント本体３１を係止することで、ディスクトレイ３に、このフック受け部のようなアタッチメント本体３１を取り付けるための部位をあらためて設ける必要がない。
【００６７】
一方、ディスクトレイ３に装着されたディスクアタッチメント４は、その摘み片４５を摘んで、これを表面側に軽く引き上げるようにすることで、容易に取り外すことができる。したがって、大径ディスクをセットするためにディスクアタッチメント４を取り外す必要がある場合等に便利である。
【００６８】
続いて、小径ディスクＤｓ下部の載上げ部３６への載上げについて説明する。ここでは、起立姿勢のディスクトレイ３に対し、ターンテーブル１０３にセットされた小径ディスクＤｓが、ターンテーブル１０３とクランパとの挟持が解除された後に、ディスクアタッチメント４を介して小径収容部１５に収容される場合について説明するが、ユーザーが、セット位置に出現した起立姿勢のディスクトレイ３に対し、小径ディスクＤｓをセットする場合も同様である。
【００６９】
図６に示すように、小径ディスクＤｓは、再生時、すなわちターンテーブル１０３とクランパとにより回転可能に挟持されたときには、ディスクトレイ３の載置面１２から僅かに離間した状態となっている。載上げ部３６においては、小径ディスクＤｓの外周縁部が先端平坦部４１から離間し、水平方向（図示左右方向）において中間傾斜部４２と略同じ位置にきている（図６（ｂ）参照）。また、各周縁支持部３２においては、これを構成する一対の支持片５１の上端部の間隙（図示矢印の範囲内）に、小径ディスクＤｓの外周縁部が収まっている（図６（ｃ）参照）。
【００７０】
図７に示すように、小径ディスクＤｓの挟持が解除されると、小径ディスクＤｓは、自重により下方に移動し、小径収容部１５の下方にやや偏心した状態で、ディスクアタッチメント４を介して縦置きセットされる。このとき、小径ディスクＤｓの下部が、載上げガイド３７（先端平坦部４１および中間傾斜部４２）の表面をガイド面として下方に案内され、基端平坦部４３に載り上げる（図７（ｂ）参照）。このとき、基端平坦部４３の表面には、小径ディスクＤｓの読取面のうち、プログラムエリア（データ領域）よりも外周の面にて接触するため、プログラムエリアを傷つけるようなことがない。なお、小径ディスクＤｓの下部が、中間傾斜部４２に載上げた状態で留まるような構成であってもよい（図７（ｃ）参照）。この場合には、中間傾斜部４２に対しては、小径ディスクＤｓの外周縁部のエッジ部分で接することになる。
【００７１】
また、載上げ部３６への載上げと相前後して、小径ディスクＤｓの外周縁部の２箇所が、それぞれ一対の支持片５１の間に入り込み、裏面側にやや傾いた状態で支持される（図７（ｄ）参照）。
【００７２】
このようにしてセットされた小径ディスクＤｓは、一対の周縁支持部３２により外周縁部が支持された状態で載上げ部３６（の基端平坦部４３または中間傾斜部４２）に下部が載り上げることで、その下部は載置面１２から離間するが、その分、小径ディスクＤｓの上部は載置面１２（小径載置面１２ｂ）に近づき、接するようになる。したがって、小径ディスクＤｓの上部を小径載置面１２ｂに立て掛けた状態となり、小径ディスクＤｓのふらつきが防止され、より表面側に倒れにくくなるため、安定的に小径ディスクを縦置きセットすることができる。
【００７３】
以上のように、本実施形態のアタッチメント装置２によれば、ディスクアタッチメント４を介して小径ディスクＤｓをセットすることで、ディスクトレイ３に小径ディスクＤｓをセットするための特別な加工を施す必要がなく、ディスクトレイ３全体の厚さが増すようなことがない。また、予めディスクトレイ３にディスクアタッチメント４を装着しておくことで、アダプターを用いる場合のように、小径ディスクＤｓをアダプターに装着させる必要がなく、読取面を誤って汚してしまうことを防止できる。したがって、起立姿勢のディスクトレイ３に小径ディスクＤｓを適切に縦置きセットすることができる。
【図面の簡単な説明】
【００７４】
【図１】本発明の一実施形態に係るディスクドライブ装置において、ディスクトレイが装置外に出現した状態の斜視図である。
【図２】ディスクドライブ装置において、ディスクトレイが装置内に収容された状態の斜視図である。
【図３】ディスクアタッチメントが装着されるディスクトレイの平面図である。
【図４】ディスクトレイに装着したディスクアタッチメントの斜視図である。
【図５】（ａ）はディスクアタッチメントの正面図、（ｂ）はその平面図、（ｃ）はその背面図である。
【図６】（ａ）はディスクドライブ装置および回転時の小径ディスクを示す正面図、（ｂ）はｂ−ｂ線による断面図、（ｃ）はｃ−ｃ線による断面図である。
【図７】（ａ）はディスクドライブ装置およびこれに縦置きセットされた小径ディスクを示す正面図、（ｂ）はｂ−ｂ線による断面図、（ｃ）は小径ディスクの下部が、中間傾斜部に載上げた状態におけるｂ−ｂ線による断面図、（ｄ）はｄ−ｄ線による断面図である。
【符号の説明】
【００７５】
１…ディスクドライブ装置  ２…アタッチメント装置  ３…ディスクトレイ  ４…ディスクアタッチメント  １１…ディスク収容部  １２…載置面  １４…大径収容部  １５…小径収容部  １６…大径周壁  １９…位置決め開口  ２１…規制突起  ３１…アタッチメント本体  ３２…周縁支持部  ３６…載上げ部  ３７…載上げガイド  ４５…摘み片  ４９…位置決め凸部  Ｄ…光ディスク  Ｄｓ…小径ディスク
【図１】
2007234195.tif 000003
【図２】
2007234195.tif 000004
【図３】
2007234195.tif 000005
【図４】
2007234195.tif 000006
【図５】
2007234195.tif 000007
【図６】
2007234195.tif 000008
【図７】
2007234195.tif 000009